(57)【特許請求の範囲】
【請求項１】
可動側又は固定側に取り付けられるベースと、
前記固定側又は可動側に形成された衝突部と、
前記ベースに前記可動側の移動方向に沿って直線的に併設された一対の直線ガイド部と、
前記直線ガイド部の併設方向外端部に対応して形成されたストッパ用の係止部と、
前記各直線ガイド部に沿ってそれぞれ可動支持され前記係止部に係脱可能に保持される一対の可動駒体と、
前記各可動駒体に形成され前記固定側の衝突部に係合又は磁着し若しくは可動側の衝突部が係合又は磁着し前記直線ガイド部に沿った移動力を受けたとき前記係止部による係止を外すための係合部と、
前記一対の可動駒体間に介設され両可動駒体を前記直線部に沿って引きつけるように付勢する単一のばねと、
前記一対の可動駒体間に介設さればねの付勢力を減衰する単一の直線ダンパと、
を備え、
前記直線ガイド部は、直線ガイド孔であり、
前記各可動駒体は、前記直線ガイド孔に嵌合ガイドされる一対のピンを備え、
前記係止部は、前記直線ガイド孔の併設方向外端部に連続形成され前記各可動駒体の一方のピンを落ち込ませて前記可動駒体を傾斜して係合保持させる係止ガイド孔であり、
前記ばねは、前記直線ガイド孔に併設され、
前記直線ダンパは、前記ばねを挟んで前記直線ガイド孔に併設された、
ことを特徴とする緩衝装置。
【請求項２】
請求項１記載の緩衝装置であって、
前記係合部は、前記各可動駒体に形成され前記直線ガイド孔に交差する方向に開口し前記固定側又は可動側の衝突部に係合する係合凹部である、
ことを特徴とする緩衝装置。
【請求項３】
請求項１記載の緩衝装置であって、
前記係合部は、前記各可動駒体に形成され前記直線ガイド孔に交差する方向に突出し前記固定側又は可動側の衝突部に磁着する係合凸部である、
ことを特徴とする緩衝装置。
【請求項４】
請求項1記載の緩衝装置であって、
前記ベースは、開口部に備えられた引き戸又は開口部に取り付けられ、
前記衝突部は、前記引き戸の移動方向で前記開口部の全開側及び全閉側に対応して前記開口部又は引き戸に一対設けられた、
ことを特徴とする緩衝装置。
【発明の詳細な説明】
【技術分野】
【０００１】
本発明は、引き戸等の開閉動作の緩衝等に利用される緩衝装置に関する。
【背景技術】
【０００２】
従来、家屋の引き戸等の開閉動作を緩衝する装置では、自動的な引き込み装置に、油圧を利用した直線ダンパや回転ダンパを選択して組み合わせたものがある。かかる装置では、例えば、引き戸が閉まる手前でスプリングを利用した引き込み装置が作用すると共に直線ダンパや回転ダンパにより減衰し、自動引き込み及び緩衝を行わせることができる。
【０００３】
この場合、同様の構造を追加することで引き戸が全開する手前で自動引き込み及び緩衝を行わせることができる。
【０００４】
しかし、かかる構造では、各引き戸にスプリング及びダンパが一対必要となり、重量、部品点数が増大し、且つ高価になるという問題がある。
【先行技術文献】
【特許文献】
【０００５】
【特許文献１】特開２００７−１２０６１９号公報
【発明の概要】
【発明が解決しようとする課題】
【０００６】
解決しようとする問題点は、引き戸等の閉まる手前及び全開する手前等の双方で自動引き込み及び緩衝を行わせる構造にすると重量、部品点数が増大し、且つ高価になるという点である。
【課題を解決するための手段】
【０００７】
本発明は、重量を軽減し、部品点数を削減し、且つ安価にすることを可能とするため、可動側又は固定側に取り付けられるベースと、前記固定側又は可動側に形成された衝突部と、前記ベースに前記可動側の移動方向に沿って直線的に併設された一対の直線ガイド部と、前記直線ガイド部の併設方向外端部に対応して形成されたストッパ用の係止部と、前記各直線ガイド部に沿ってそれぞれ可動支持され前記係止部に係脱可能に保持される一対の可動駒体と、前記各可動駒体に形成され前記固定側の衝突部に係合又は磁着し若しくは可動側の衝突部が係合又は磁着し前記直線ガイド部に沿った移動力を受けたとき前記係止部による係止を外すための係合部と、前記一対の可動駒体間に介設され両可動駒体を前記直線部に沿って引きつけるように付勢する単一のばねと、前記一対の可動駒体間に介設さればねの付勢力を減衰する単一の直線ダンパとを備え、前記直線ガイド部は、直線ガイド孔であり、前記各可動駒体は、前記直線ガイド孔に嵌合ガイドされる一対のピンを備え、前記係止部は、前記直線ガイド孔の併設方向外端部に連続形成され前記各可動駒体の一方のピンを落ち込ませて前記可動駒体を傾斜して係合保持させる係止ガイド孔であり、前記ばねは、前記直線ガイド孔に併設され、前記直線ダンパは、前記ばねを挟んで前記直線ガイド孔に併設されたことを特徴とする。
【発明の効果】
【０００８】
本発明は、上記構成であるから、単一のばねと単一の直線ダンパとで双方向の自動引き込み及び緩衝を行わせることができ、重量を軽減し、部品点数を削減し、且つ安価な緩衝装置を得ることができる。
【図面の簡単な説明】
【０００９】
【図１】緩衝装置の正面図である。（実施例１）
【図２】緩衝装置の動作説明図に係り、（ａ）は、固定側との衝突前、（ｂ）は、衝突開始、（ｃ）は、引き込み、（ｄ）は、引き戻し、（ｅ）は、係合復帰を示す説明図である。（実施例１）
【図３】引き戸に装着したドア引き込みユニットの動作説明図である。（実施例１）
【図４】引き戸に装着したドア引き込みユニットの動作説明図である。（実施例１）
【図５】引き戸に装着したドア引き込みユニットの動作説明図である。（実施例１）
【図６】引き戸に装着したドア引き込みユニットの動作説明図である。（実施例１）
【図７】引き戸に装着したドア引き込みユニットの動作説明図である。（実施例１）
【図８】開口部に装着したドア引き込みユニットの動作説明図である。（実施例１）
【図９】開口部に装着したドア引き込みユニットの動作説明図である。（実施例１）
【図１０】開口部に装着したドア引き込みユニットの動作説明図である。（実施例１）
【図１１】緩衝装置の平面図である。（実施例２）
【図１２】緩衝装置の内部を表した正面図である。（実施例２）
【図１３】緩衝装置の側面図である。（実施例２）
【図１４】緩衝装置の動作説明図に係り、（ａ）は、固定側との衝突前、（ｂ）は、衝突開始、（ｃ）は、引き込み、（ｄ）は、引き戻し、（ｅ）は、係合復帰を示す説明図である。（実施例２）
【発明を実施するための形態】
【００１０】
重量を軽減し、部品点数を削減し、且つ安価にすることを可能とするという目的を、ベースと直線ガイド部と係止部と一対の可動駒体と係合部と単一のばね及び直線ダンパにより実現した。
【実施例１】
【００１１】
［緩衝装置］
図1は、緩衝装置の正面図である。
【００１２】
図１のように、この緩衝装置１は、ベース３と一対のガイド部５、７と一対の可動駒体９、１１と係合凹部１３、１５と単一のばね１７及び直線ダンパ１９とを備えている。
【００１３】
ベース３は、金属、樹脂等で形成され、可動側に取り付けられるものであり、周縁部に取り付け用の締結穴２１が複数所定間隔で形成され、下部にダンパ支持部２２が形成されている。
【００１４】
ガイド部５、７は、直線ガイド部としての直線ガイド孔２３、２５及び係止部としての係止ガイド孔２７、２９からなり、可動側の移動方向に沿って直線ガイド孔２３、２５が併設されている。この直線ガイド孔２３、２５の併設方向外端部には、前記係止ガイド孔２７、２９がストッパ用として備えられている。係止ガイド孔２７、２９は、直線ガイド孔２３、２５に直交し、直線ガイド孔２３、２５との間に、傾斜した遷移部２７ａ、２９ａを備えている。
【００１５】
可動駒体９、１１は、対称形状に形成され、直線ガイド孔２３、２５に沿ってそれぞれ可動支持され係止ガイド孔２７、２９でのガイドにより傾斜して係合保持される構成となっている。
【００１６】
すなわち、可動駒体９、１１は、ピン３１、３３、３５，３７により直線ガイド孔２３、２５に沿って移動可能に支持され、ピン３３、３７が係止ガイド孔２７、２９に至るとピン３１、３５を中心に回転する。この回転によりピン３３、３７が係止ガイド孔２７、２９に係合し、可動駒体９、１１が傾斜して係合保持される。
【００１７】
可動駒体９、１１には、図1において上縁部に前記係合凹部１３、１５が係合部として直線ガイド孔２３、２５に交差する方向に矩形に開口し、固定側の衝突部である後述する凸部に係合する構成となっている。可動駒体９、１１が直線ガイド孔２３、２５を移動するときは、係合凹部１３、１５がベース３の上縁部３ａから突出する。図1において可動駒体９、１１の下部には、嵌合部３９、４１、４３、４５が形成されている。
【００１８】
一対の可動駒体９、１１間には、前記単一のばね１７と、単一の直線ダンパ１９とが介設されている。
【００１９】
単一のばね１７は、引張コイルばねで構成され、一対の可動駒体９、１１間でベース３に沿って直線的に配置され、両端部に結合体５１、５３が取り付けられている。結合体５１、５３の各先端は球状部５１ａ、５３ａとなっており、可動駒体９、１１の嵌合部３９、４３に相対回転自在且つ引張力付与可能に結合されている。
【００２０】
単一の直線ダンパ１９は、ピストン・シリンダ・タイプであり、一対の可動駒体９、１１間でばね１７に平行且つベース３に沿って直線的に配置されている。ロッド１９ａ及びシリンダ１９ｂの端部には、結合体５５、５７が設けられている。結合体５５、５７の各先端は球状部５５ａ、５７ａとなっており、可動駒体９、１１の嵌合部４１、４５に相対回転自在且つダンピング力付与可能に結合されている。
［可動側ユニットへの取り付けと引き込み動作］
図２は、緩衝装置の動作説明図に係り、（ａ）は、固定側との衝突前、（ｂ）は、衝突開始、（ｃ）は、引き込み、（ｄ）は、引き戻し、（ｅ）は、係合復帰を示す説明図である。
【００２１】
（ａ）緩衝装置１は、直線移動する可動側ユニットに取り付けられ、固定側ユニット５９の凸部６１に対し可動側ユニットと共に直線移動する。このとき、ピン３３，３７が係止ガイド孔２７、２９に至って係合保持されており、ピン３１、３５を中心に回転して傾斜状態であり、可動駒体９（１１）の係合凹部１３（１５）が進行方向に指向傾斜している。
【００２２】
（ｂ）可動側ユニットの移動により緩衝装置１の傾斜した係合凹部１３が凸部６１に衝突すると、可動駒体９が凸部６１から抵抗を受けて直線ガイド孔２３に沿った移動力を受ける。このとき可動駒体９は、ピン３１回りに回転し、ピン３３が係止ガイド孔２７から外れてピン３１、３３が共にガイド部５の直線ガイド孔２３でのガイド状態となる。
【００２３】
（ｃ）ピン３１、３３がガイド部５の直線ガイド孔２３でのガイド状態になると、可動駒体９がガイド部５の直線ガイド孔２３に沿って直線移動可能となり、凸部６１から可動駒体９が受けた衝突力が、可動駒体９の直線移動により嵌合部４１、結合体５５、ロッド１９ａを介して直線ダンパ１９で受けられる。
【００２４】
このとき、シリンダ１９ｂ側の結合体５７から可動駒体１１の嵌合部４５に力が伝達されると、ピン３７から係止ガイド孔２９に力が伝達され、可動駒体１１は、そのままの姿勢を維持する。
【００２５】
衝突力を受けた直線ダンパ１９は、可動駒体９の移動に伴って衝突力を吸収し、同時にばね１７から結合体５１、５３を介し可動駒体９が可動駒体１１方向へ引っ張り力を受ける。
【００２６】
この引っ張り力で、直線ダンパ１９の抵抗を受けながら可動駒体９が直線ガイド孔２３をその端部まで静かに移動し、引き込まれる。
【００２７】
（ｄ）可動側ユニットが逆方向へ移動すると、凸部６１に係合している可動駒体９はそのままの位置を維持するから、ベース３側の移動により可動駒体９が直線ガイド孔２３の係止ガイド孔２７側へ相対移動する。この相対移動で、ばね１７及び直線ダンパ１９は伸長する。
【００２８】
（ｅ）可動側ユニットが逆方向へさらに移動すると、ピン３３が遷移部２７ａを経て係止ガイド孔２７へ移行し、可動駒体９がピン３１を中心に回転し、傾斜して係合保持される。
【００２９】
この可動駒体９の傾斜により係合凹部１３が凸部６１から外れ、可動側ユニットはフリーに移動可能となる。
【００３０】
（ａ）〜（ｅ）までの動作は、可動駒体１１側においても、逆方向への移動で図示しない凸部との関係により同様に行われる。
［引き戸への取り付け］
図３〜図７は、引き戸に装着したドア引き込みユニットの動作説明図である。なお、図３〜図７では、ドア引き込みユニットを拡大して関連図示している。
【００３１】
図３〜図７のように、固定側である家屋の開口部６３に、可動側である引き戸６５が組み付けられ、引き戸６５を開口部６３に対しスライド移動させることで開口部６３を開閉可能となっている。
【００３２】
開口部６３には、固定側のスライド・レールが取り付けられ、このスライド・レールに引き戸６５が直線移動可能に支持されている。開口部１には、固定側の凸部６１ａ，６１ｂが引き戸６５の全開位置及び全閉位置に対応して設けられている。引き戸６５には、前記緩衝装置１で構成されたドア引き込みユニット６７が取り付けられている。
【００３３】
図３は、図２の動作説明（ｃ）に対応し、可動駒体９の係合凹部１３が、開口部６３の凸部６１ａに係合し、ばね１７の引っ張り力で、直線ダンパ１９の抵抗を受けながら可動駒体９が直線ガイド孔２３をその端部まで静かに移動し、引き戸６５が全閉位置へ引き込まれている。
【００３４】
図４は、図２の動作説明（ｄ）に対応し、引き戸６５が開かれドア引き込みユニット６７が移動すると、凸部６１ａに係合している可動駒体９はそのままの位置を維持するから、引き戸６５と共に移動するベース３側に伴って、可動駒体９が直線ガイド孔２３の係止ガイド孔２７側へ相対移動する。この相対移動で、ばね１７及び直線ダンパ１９は伸長する。
【００３５】
図５は、図２の動作説明（ｅ）に対応し、引き戸６５と共にドア引き込みユニット６７が開方向へさらに移動すると、ピン３３が遷移部２７ａを経て係止ガイド孔２７へ移行し、可動駒体９がピン３１を中心に回転し、傾斜して係合保持される。
【００３６】
この可動駒体９の傾斜により係合凹部１３が凸部６１ａから外れ、ドア引き込みユニット６７はフリーに移動可能となる。
【００３７】
このため、ばね１７及び直線ダンパ１９の抗力を受けることなく引き戸６５を全開方向へフリーに開くことができる。
【００３８】
図６は、図２の動作説明（ｂ）に対応し、引き戸６５と共にドア引き込みユニット６７が全開方向へさらに移動すると、ドア引き込みユニット６７の可動駒体１１の傾斜した係合凹部１５が凸部６１ｂに衝突する。この衝突で可動駒体１１が凸部６１ｂから抵抗を受けてピン３５回りに回転しながらピン３７が係止ガイド孔２９から外れてピン３５、３７が共にガイド部７の直線ガイド孔２５でのガイド状態となる。
【００３９】
図７は、図２の動作説明（ｃ）に対応し、ピン３５、３７がガイド部７の直線ガイド孔２５でのガイド状態になると、可動駒体１１がガイド部７の直線ガイド孔２５に沿って直線移動可能となり、凸部６１ｂから可動駒体１１が受けた衝突力が、可動駒体１１の直線移動により嵌合部４５、結合体５７、シリンダ１９ｂを介して直線ダンパ１９で受けられる。
【００４０】
このとき、ロッド１９ａ側の結合体５５から可動駒体９の嵌合部４１に力が伝達されると、ピン３３から係止ガイド孔２７に力が伝達され、可動駒体９は、そのままの姿勢を維持する。
【００４１】
衝突力を受けた直線ダンパ１９は、可動駒体１１の移動に伴って衝突力を吸収し、同時にばね１７から結合体５１、５３を介し可動駒体１１が可動駒体９方向へ引っ張り力を受ける。
【００４２】
この引っ張り力で、直線ダンパ１９の抵抗を受けながら可動駒体１１が直線ガイド孔２５をその端部まで静かに移動し、引き戸６５が全開状態へ静かに移動する。
［開口部への取り付け］
図８〜図１０は、引き戸に装着したドア引き込みユニットの動作説明図である。なお、図８〜図１０では、ドア引き込みユニットを拡大して関連図示している。なお、構成要素は、図３〜図７と同一であり、同符号を付し、重複した説明は、省略する。
【００４３】
図８〜図１０では、緩衝装置１を、固定側である開口部６３に取り付け、可動側の衝突部となる凸部６１ａ，６１ｂが引き戸６５の全開位置及び全閉位置に対応して引き戸６５に設けられている。
【００４４】
図８は、図３に対応し、可動駒体９の係合凹部１３に、引き戸６５の凸部６１ａが係合し、ばね１７の引張り力で、直線ダンパ１９の抵抗を受けながら可動駒体９が直線ガイド孔２３をその端部まで静かに移動し、引き戸６５が全閉位置へ引き込まれている。
【００４５】
引き戸６５が開かれ凸部６１ａが移動すると、凸部６１ａが係合している可動駒体９が直線ガイド孔２３の係止ガイド孔２７側へ相対移動する。この相対移動で、ばね１７及び直線ダンパ１９は伸長する。
【００４６】
図９は、図５に対応し、引き戸６５と共に凸部６１ａが開方向へさらに移動すると、ピン３３が遷移部２７ａを経て係止ガイド孔２７へ移行し、可動駒体９がピン３１を中心に回転し、傾斜して係合保持される。
【００４７】
この可動駒体９の傾斜により係合凹部１３から凸部６１ａが外れ、ドア引き込みユニット６７はフリーに移動可能となる。
【００４８】
このため、ばね１７及び直線ダンパ１９の抗力を受けることなく引き戸６５を全開方向へフリーに開くことができる。
【００４９】
引き戸６５が全開方向へさらに移動すると、ドア引き込みユニット６７の可動駒体１１の傾斜した係合凹部１５に凸部６１ｂが衝突する。この衝突で可動駒体１１が凸部６１ｂから抵抗を受けてピン３５回りに回転しながらピン３７が係止ガイド孔２９から外れてピン３５、３７が共にガイド部７の直線ガイド孔２５でのガイド状態となる。
【００５０】
図１０は、図７に対応し、ピン３５、３７がガイド部７の直線ガイド孔２５でのガイド状態になると、可動駒体１１がガイド部７の直線ガイド孔２５に沿って直線移動可能となり、凸部６１ｂから可動駒体１１が受けた衝突力が、可動駒体１１の直線移動により嵌合部４５、結合体５７、シリンダ１９ｂを介して直線ダンパ１９で受けられる。
【００５１】
このとき、ロッド１９ａ側の結合体５５から可動駒体９の嵌合部４１に力が伝達されると、ピン３３から係止ガイド孔２７に力が伝達され、可動駒体９は、そのままの姿勢を維持する。
【００５２】
衝突力を受けた直線ダンパ１９は、可動駒体１１の移動に伴って衝突力を吸収し、同時にばね１７から結合体５１、５３を介し可動駒体１１が可動駒体９方向へ引っ張り力を受ける。
【００５３】
この引っ張り力で、直線ダンパ１９の抵抗を受けながら可動駒体１１が直線ガイド孔２５をその端部まで静かに移動し、引き戸６５が全開状態へ静かに移動する。
［実施例１の効果］
本発明実施例１の緩衝装置１は、引き戸６５又は開口部６３に取り付けられるベース３と、開口部６３又は引き戸６５に形成された凸部６１ａ、凸部６１ｂと、ベース３に引き戸６５の移動方向に沿って直線ガイド孔２３、２５が併設されこの直線ガイド孔２３、２５の併設方向外端部にストッパ用の係止ガイド孔２７、２９を備えた一対のガイド部５、７と、各ガイド部５、７の直線ガイド孔２３、２５に沿ってそれぞれ可動支持され係止ガイド孔２７、２９でのガイドにより傾斜して係合保持される一対の可動駒体９、１１と、可動駒体９、１１に形成され直線ガイド孔２３、２５に交差する方向に開口し開口部６３又は引き戸６５の凸部６１ａ、凸部６１ｂに係合する係合凹部１３、１５と、一対の可動駒体９、１１間に介設され両可動駒体９、１１を直線ガイド孔２３、２５に沿って引きつけるように付勢する単一のばね１７と、一対の可動駒体９、１１間に介設さればね１７の付勢力を減衰する単一の直線ダンパ１９とを備えた。
【００５４】
このため、単一のばね１７及び直線ダンパ１９により何れの可動駒体９、１１も引き付け動作させることができる。したがって、引き戸６５の全開位置及び全閉位置の双方向の自動引き込み及び緩衝を行わせることができ、重量を軽減し、部品点数を削減し、且つ安価な緩衝装置を得ることができる。
【実施例２】
【００５５】
図１１〜図１４は、本発明の実施例２に係り、図１１は、緩衝装置の平面図、図１２は、緩衝装置の内部を表した正面図、図１３は、緩衝装置の側面図、図１４は、緩衝装置の動作説明図に係り、（ａ）は、固定側との衝突前、（ｂ）は、衝突開始、（ｃ）は、引き込み、（ｄ）は、引き戻し、（ｅ）は、係合復帰を示す説明図である。なお、基本的な構成は実施例１と同様であり、対応する構成部分にＡを付し、重複説明は省略する。
［緩衝装置］
図１１〜図１４のように、この緩衝装置１Ａは、ベース３Ａと一対の直線ガイド部である直線ガイド孔２３Ａ、２５Ａと一対の可動駒体９Ａ、１１Ａと係合凸部１３Ａ、１５Ａと単一のばね１７Ａ及び直線ダンパ１９Ａとを備えている。
【００５６】
ベース３Ａは、金属、樹脂等で形成され、可動側に取り付けられるものであり、天板３Ａａ、側板３Ａｂ、３Ａｃ、底板３Ａｄの閉じ断面構造であり、両端部が取り付け用のブラケット３Ａｅ、３Ａｆにより閉止されている。両ブラケット３Ａｅ、３Ａｆには、取り付け用の締結穴２１Ａが形成されている。
【００５７】
直線ガイド孔２３Ａ、２５Ａは、天板３Ａａに形成されている。
【００５８】
ベース３Ａの底板３Ａｄには、両端部に段差部２７Ａ、２９Ａが形成されている。段差部２７Ａ、２９Ａは、直線ガイド孔２３Ａ、２５Ａの併設方向外端部に対応してストッパ用として形成され各可動駒体９Ａ、１１Ａをこの位置で係合保持させるものである。
【００５９】
可動駒体９Ａ、１１Ａは、対称形状に形成され、くびれ部９Ａａ、１１Ａａが直線ガイド孔２３Ａ、２５Ａに沿ってそれぞれ可動支持されている。可動駒体９Ａ、１１Ａの図上の下端は、平坦に形成され、底板３Ａｄ上を摺動可能となっている。可動駒体９Ａ、１１Ａの下端には、チェック体３３Ａａ、３７Ａａが支持され、チェックスプリング３３Ａｂ、３７Ａｂで付勢されている。チェック体３３Ａａ、３７Ａａがチェックスプリング３３Ａｂ、３７Ａｂの付勢で段差部２７Ａ、２９Ａに落ち込むと、各可動駒体９Ａ、１１Ａの係合保持が起立状態で行われる。
【００６０】
可動駒体９Ａ、１１Ａには、図１２において上縁部に前記係合凸部１３Ａ、１５Ａが係合部として直線ガイド孔２３Ａ、２５Ａに交差する方向に突出し、固定側の衝突部である後述する磁性体部に磁着する構成となっている。このため、係合凸部１３Ａ、１５Ａには、マグネット１３Ａａ、１５Ａａが埋め込まれている。
【００６１】
一対の可動駒体９Ａ、１１Ａ間には、前記単一のばね１７Ａと、単一の直線ダンパ１９Ａとが介設されている。
【００６２】
単一のばね１７Ａは、引張コイルばねで構成され、両端部のフック部１７Ａａ、１７Ａｂが一対の可動駒体９Ａ、１１Ａの係止ピン９Ａｂ、１１Ａｂに掛け止められている。
【００６３】
単一の直線ダンパ１９Ａは、ロッド１９Ａａ及びシリンダ１９Ａｂの端部が、可動駒体９Ａ、１１Ａに螺合などにより結合されている。ロッド１９Ａａ及びシリンダ１９Ａｂの配置関係は、逆にすることもできる。
［可動側ユニットへの取り付けと引き込み動作］
図１４は、緩衝装置の動作説明図に係り、（ａ）は、固定側との衝突前、（ｂ）は、衝突開始、（ｃ）は、引き込み、（ｄ）は、引き戻し、（ｅ）は、係合復帰を示す説明図である。
【００６４】
図１４の（ａ）〜（ｅ）の動作は、実施例１の図２の（ａ）〜（ｅ）の動作に対応している。なお、図１４にない符号は、図１１〜図１３を参照する。
【００６５】
（ａ）緩衝装置１Ａは、直線移動する可動側ユニットに取り付けられ、固定側ユニット５９Ａの磁性体の衝突部６１Ａに対し可動側ユニットと共に直線移動する。このとき、可動駒体９Ａ、１１Ａのチェック体３３Ａａ、３７Ａａが段差部２７Ａ、２９Ａにチェックスプリング３３Ａｂ、３７Ａｂの付勢力を介して係合保持されている。
【００６６】
（ｂ）可動側ユニットの移動により緩衝装置１Ａの係合凸部１３Ａが衝突部６１Ａに衝突すると、可動駒体９Ａが衝突部６１Ａから抵抗を受けて直線ガイド孔２３Ａに沿った移動力を受ける。このとき可動駒体９Ａのチェック体３３Ａａがチェックスプリング３３Ａｂの付勢力に抗して退避することにより段差部２７Ａから外れ、底板３Ａｄ上を摺動可能となる。
【００６７】
（ｃ）チェック体３３Ａａが段差部２７Ａから外れると、可動駒体９Ａが直線ガイド孔２３Ａに沿って直線移動可能となり、衝突部６１Ａから可動駒体９が受けた衝突力が、可動駒体９Ａの直線移動により直線ダンパ１９Ａで受けられる。
【００６８】
衝突力を受けた直線ダンパ１９Ａは、可動駒体９Ａの移動に伴って衝突力を吸収し、同時にばね１７Ａから可動駒体９Ａが可動駒体１１Ａ方向へ引っ張り力を受ける。
【００６９】
この引っ張り力で、直線ダンパ１９Ａの減衰を受けながら可動駒体９Ａが直線ガイド孔２３Ａをその端部まで静かに移動し、引き込み力を出す。このとき、直線ガイド孔２３Ａの端部は、引き込み時のストッパを兼ねる。直線ガイド孔２５Ａの端部も同様に可動駒体１１Ａ引き込み時のストッパを兼ねる。
【００７０】
（ｄ）可動側ユニットが逆方向へ移動すると、衝突部６１Ａに磁着している可動駒体９Ａはそのままの位置を維持するから、ベース３Ａ側の移動により可動駒体９Ａがブラケット３Ａｅ側へ相対移動する。この相対移動で、ばね１７Ａ及び直線ダンパ１９Ａは伸長する。
【００７１】
（ｅ）可動側ユニットが逆方向へさらに移動すると、可動駒体９Ａがブラケット３Ａｅに当接し、チェック体３３Ａａが段差部２７Ａにチェックスプリング３３Ａｂの付勢力により落ち込み、係合保持される。
【００７２】
この可動駒体９Ａの係合保持により係合凸部１３Ａが衝突部６１Ａから離脱し、可動側ユニットはフリーに移動可能となる。
【００７３】
（ａ）〜（ｅ）までの動作は、可動駒体１１Ａ側においても、逆方向への移動で図示しない衝突部との関係により同様に行われる。
【００７４】
したがって、本実施例も図３〜図７同様に、開口部の引き戸に適用することができ、同様の作用効果を奏することができる。また、ベース３Ａが閉じ断面構造であり、直線ダンパ１９Ａから液漏れがあっても、外部への流出を規制することができる。
【００７５】
なお、本実施例２の緩衝装置１Ａも、図８〜図１０のように、固定側である固定側ユニット５９Ａに取り付け、磁性体の衝突部６１Ａを可動側ユニットに形成することもできる。
【符号の説明】
【００７６】
１、１Ａ  緩衝装置
３、３Ａ  ベース
９、９Ａ、１１、１１Ａ  可動駒体
１７、１７Ａ  ばね
１９、１９Ａ  直線ダンパ
２３、２３Ａ、２５、２５Ａ  直線ガイド孔（直線ガイド部）
２７，２９  係止ガイド孔（係合部）
２７Ａ、２９Ａ  段差部（係合部）
【図１】
0005852817.tif 000002
【図２】
0005852817.tif 000003
【図３】
0005852817.tif 000004
【図４】
0005852817.tif 000005
【図５】
0005852817.tif 000006
【図６】
0005852817.tif 000007
【図７】
0005852817.tif 000008
【図８】
0005852817.tif 000009
【図９】
0005852817.tif 000010
【図１０】
0005852817.tif 000011
【図１１】
0005852817.tif 000012
【図１２】
0005852817.tif 000013
【図１３】
0005852817.tif 000014
【図１４】
0005852817.tif 000015